(57)【要約】  ビデオ映像を三次元で再生し、ビデオ映像をＮ（Ｎは、２以上の自然数）倍速して再生することを要請されれば、ビデオ映像を二次元でＮ倍速して再生する方法及び該装置である。
2013504244.tif 000002
【特許請求の範囲】
【請求項１】
ビデオ映像を三次元で再生する段階と、
前記ビデオ映像をＮ（Ｎは、２以上の自然数）倍速して再生することを要請される段階と、
前記要請に相応し、前記ビデオ映像をＮ倍速して再生する段階と、を含み、
前記ビデオ映像をＮ倍速して再生する段階は、前記ビデオ映像を二次元でＮ倍速して再生する段階を含むことを特徴とするビデオ映像再生方法。
【請求項２】
前記ビデオ映像を二次元でＮ倍速して再生する段階は、前記Ｎが基準倍速値を超える場合、前記ビデオ映像を二次元でＮ倍速して再生する段階を含むことを特徴とする請求項１に記載のビデオ映像再生方法。
【請求項３】
前記Ｎが前記基準倍速値を超えない場合、前記ビデオ映像を三次元でＮ倍速して再生する段階をさらに含むことを特徴とする請求項２に記載のビデオ映像再生方法。
【請求項４】
ディスクには、ビデオストリーム及び前記ビデオストリームに係わる付加情報が保存されており、
前記付加情報は、前記基準倍速値を含むことを特徴とする請求項２に記載のビデオ映像再生方法。
【請求項５】
前記付加情報は、前記ディスクに保存されたＳＴＮテーブルに含まれていることを特徴とする請求項４に記載のビデオ映像再生方法。
【請求項６】
前記ビデオ映像再生方法を遂行する再生装置から、前記基準倍速値を抽出する段階をさらに含むことを特徴とする請求項２に記載のビデオ映像再生方法。
【請求項７】
ユーザから基準倍速値を設定される段階と、
前記設定された基準倍速値を、前記再生装置内部に保存する段階と、をさらに含むことを特徴とする請求項６に記載のビデオ映像再生方法。
【請求項８】
前記ビデオ映像を二次元で再生する段階は、
ビデオストリームをデコーディングし、左目用映像及び右目用映像を生成する段階と、
前記左目用映像及び前記右目用映像のうち１つの映像だけを出力する段階と、を含むことを特徴とする請求項２に記載のビデオ映像再生方法。
【請求項９】
前記ビデオ映像を二次元で再生する段階は、
ビデオストリームをデコーディングし、左目用映像及び右目用映像のうち１つの映像を生成する段階と、
前記生成された映像を出力する段階と、を含むことを特徴とする請求項２に記載のビデオ映像再生方法。
【請求項１０】
ビデオ映像をＮ（Ｎは、２以上の自然数）倍速して再生することを要請されるユーザ・インターフェースと、
ビデオ映像を三次元で再生し、前記ユーザから前記Ｎ倍速して再生することを要請されれば、前記ビデオ映像を二次元でＮ倍速して再生する信号処理部と、を含むことを特徴とするビデオ映像再生装置。
【請求項１１】
前記信号処理部は、前記Ｎが基準倍速値を超える場合、前記ビデオ映像を二次元でＮ倍速して再生することを特徴とする請求項１０に記載のビデオ映像再生装置。
【請求項１２】
前記信号処理部は前記Ｎが前記基準倍速値を超えない場合、前記ビデオ映像を三次元でＮ倍速して再生することを特徴とする請求項１１に記載のビデオ映像再生装置。
【請求項１３】
ディスクには、ビデオストリーム及び前記ビデオストリームに係わる付加情報が保存されており、
前記付加情報は、前記基準倍速値を含むことを特徴とする請求項１１に記載のビデオ映像再生装置。
【請求項１４】
前記付加情報は、前記ディスクに保存されたＳＴＮテーブルに含まれていることを特徴とする請求項１３に記載のビデオ映像再生装置。
【請求項１５】
前記信号処理装置には、前記基準倍速値が保存されていることを特徴とする請求項１１に記載のビデオ映像再生装置。
【請求項１６】
前記ユーザ・インターフェースは、ユーザから基準倍速値を設定され、
前記信号処理装置は、前記設定された基準倍速値を保存することを特徴とする請求項１５に記載のビデオ映像再生装置。
【請求項１７】
前記信号処理部は、
ビデオストリームをデコーディングし、左目用映像及び右目用映像を生成するデコーディング部と、
前記生成された左目用映像及び前記右目用映像のうち１つの映像だけ出力させる出力部と、を含むことを特徴とする請求項１１に記載のビデオ映像再生装置。
【請求項１８】
前記信号処理部は、
ビデオストリームをデコーディングし、左目用映像及び右目用映像のうち１つの映像を生成するデコーディング部と、
前記生成された映像を出力する出力部と、を含むことを特徴とする請求項１１に記載のビデオ映像再生装置。
【請求項１９】
ビデオ映像を三次元で再生する段階と、
前記ビデオ映像をＮ（Ｎは、２以上の自然数）倍速して再生することを要請される段階と、
前記要請に相応し、前記ビデオ映像をＮ倍速して再生する段階と、を含み、
前記ビデオ映像をＮ倍速して再生する段階は、前記ビデオ映像を二次元でＮ倍速して再生する段階を含むことを特徴とするビデオ映像再生方法を実行するためのプログラムを保存したコンピュータで読み取り可能な記録ディスク。
【発明の詳細な説明】
【技術分野】
【０００１】
本発明は、ビデオ映像倍速再生方法及び該装置に係り、さらに具体的には、三次元で再生されるビデオ映像を倍速再生するとき、ビデオ映像の立体感を調節して倍速再生する方法及び該装置に関する。
【背景技術】
【０００２】
ビデオ映像を三次元（３Ｄ）で再生する技術が開発されている。
【０００３】
人が画面を見るとき、画面に投射された映像が両目に結ばれるが、人の目は、横方向に所定距離ほど離れているので、左目及び右目が見る二次元（２Ｄ）映像が互いに異なる。このとき、目に結ばれた映像の二点間の距離を視差（parallax）という。
【０００４】
脳は、互いに異なる２つの二次元映像、すなわち、左目用映像と右目用映像とを融合し、遠近感と実在感とのある三次元映像を生成する。
【０００５】
ユーザが三次元映像を視聴するときに感じる映像内被写体の立体感程度は、ディスプレイ装置に表示された両眼視差（binocular  disparity）の大きさに影響を受ける。
【０００６】
図１Ａ及び図１Ｂは、両眼視差が互いに異なる被写体に対してユーザが感じる立体感の差を説明するための図である。図１Ａ及び図１Ｂでユーザが感じる立体感Depthは、下記式（１）で表現される。
【０００７】
Depth＝ｄeye２ＴＶ＊ｄｏｂｊ２ｏｂｊ／（ｄｏｂｊ２ｏｂｊ＋ｄeye２eye）  （１）
ここで、ｄeye２ＴＶは、ユーザとディスプレイ画面との距離を示し、ｄｏｂｊ２ｏｂｊは、左目用映像及び右目用映像での物体間の横軸方向への離隔距離を示し、ｄeye２eyeは、ユーザの両眼間の距離を示す。
【０００８】
図１Ａ及び図１Ｂで、被写体の大きさは同一であり、両眼視差の比が１：２であるとすれば、図１Ａ及び図１Ｂで、ｄｏｂｊ２ｏｂｊは１：２となる。
【０００９】
前記数式１のように、ユーザが感じる映像の立体感Depthは、ＴＶと目との距離ｄeye２eyeと、ディスプレイ装置に表現される左目用映像及び右目用映像での被写体のＸ軸方向への離隔距離であるｄｏｂｊ２ｏｂｊとの積に比例し、ユーザの左右眼球距離ｄeye２eyeとｄｏｂｊ２ｏｂｊとの和に反比例する。
【００１０】
ユーザの左右眼球距離ｄeye２eyeと、ユーザとディスプレイ装置との距離ｄeye２ＴＶとがそれぞれ固定された値を有するとすれば、ユーザの感じる立体感の程度は、被写体の両眼視差によって決定される。
【００１１】
図１Ａでのｄｏｂｊ２ｏｂｊが１、図１Ｂでのｄｏｂｊ２ｏｂｊが２、ｄeye２eyeが１であると仮定すれば、図１Ａで、ユーザの感じる両眼視差は、０．５＊ｄeye２ＴＶであり、図１Ｂで、ユーザの感じる両眼視差は、０．６７＊ｄeye２ＴＶとなる。
【００１２】
ユーザが倍速再生を要請すれば、互いに異なる深度感、すなわち、互いに異なる両眼視差を有するフレームが、正常速度と異なる倍速で再生される。その場合、正常速度でビデオ映像が再生される場合より、フレーム間立体感の変化がさら大きくなり、人の目は、被写体に焦点を合わせることに幻惑さを感じる。
【発明の概要】
【発明が解決しようとする課題】
【００１３】
本発明は、三次元で再生されるビデオ映像を倍速再生するとき、ビデオ映像の立体感を調節して倍速再生する方法及び該装置を提供するものである。
【課題を解決するための手段】
【００１４】
前記課題を解決するために、本発明の一側面によれば、ビデオ映像を三次元で再生する段階と、前記ビデオ映像をＮ（Ｎは、２以上の自然数）倍速して再生することを要請される段階と、前記要請に相応し、前記ビデオ映像をＮ倍速して再生する段階と、を含み、前記ビデオ映像をＮ倍速して再生する段階は、前記ビデオ映像を二次元でＮ倍速して再生する段階を含むビデオ映像再生方法を提供することができる。
【００１５】
発明の実施形態で、前記ビデオ映像を二次元でＮ倍速して再生する段階は、前記Ｎが基準倍速値を超える場合、前記ビデオ映像を二次元でＮ倍速して再生する段階を含んでもよい。
【００１６】
また、前記Ｎが前記基準倍速値を超えない場合、前記方法は、前記ビデオ映像を三次元でＮ倍速して再生する段階をさらに含んでもよい。
【００１７】
また、ディスクには、ビデオストリーム及び前記ビデオストリームに係わる付加情報が保存されており、前記付加情報は、前記基準倍速値を含んでもよい。
【００１８】
また、前記付加情報は、前記ディスクに保存されたＳＴＮテーブルに含まれていてもよい。
【００１９】
また、前記方法は、前記ビデオ映像再生方法を遂行する再生装置から、前記基準倍速値を抽出する段階をさらに含んでもよい。
【００２０】
また、前記方法は、ユーザから基準倍速値を設定受ける段階と、前記設定された基準倍速値を、前記再生装置内部に保存する段階をさらに含んでもよい。
【００２１】
また、前記ビデオ映像を二次元で再生する段階は、ビデオストリームをデコーディングし、左目用映像及び右目用映像を生成する段階と、前記左目用映像及び前記右目用映像のうち１つの映像だけを出力する段階と、を含んでもよい。
【００２２】
また、前記ビデオ映像を二次元で再生する段階は、ビデオストリームをデコーディングし、左目用映像及び右目用映像のうち１つの映像を生成する段階と、前記生成された映像を出力する段階と、を含んでもよい。
【００２３】
発明の他の側面によれば、ビデオ映像をＮ（Ｎは、２以上の自然数）倍速して再生することを要請されるユーザ・インターフェースと、ビデオ映像を三次元で再生し、前記ユーザから前記Ｎ倍速して再生することを要請されれば、前記ビデオ映像を二次元でＮ倍速して再生する信号処理部と、を含むビデオ映像再生装置を提供することができる。
【００２４】
発明のさらに他の側面によれば、ビデオ映像を三次元で再生する段階と、前記ビデオ映像をＮ（Ｎは、２以上の自然数）倍速して再生することを要請される段階と、前記要請に相応し、前記ビデオ映像をＮ倍速して再生する段階と、を含み、前記ビデオ映像をＮ倍速して再生する段階は、前記ビデオ映像を二次元でＮ倍速して再生する段階を含むビデオ映像再生方法を実行するためのプログラムを保存したコンピュータで読み取り可能な記録ディスクを提供することができる。
【００２５】
発明の実施形態によれば、三次元で再生されるビデオ映像を倍速再生するとき、要請された倍速によって、ビデオ映像を二次元または三次元で倍速再生する方法及び該装置を提供することができる。
【発明の効果】
【００２６】
本発明によれば、三次元で再生されるビデオ映像を倍速再生する場合、ビデオ映像を二次元で倍速再生することができる。
【図面の簡単な説明】
【００２７】
【図１Ａ】両眼視差が互いに異なる被写体に対してユーザが感じる立体感の差について説明するための図である。
【図１Ｂ】両眼視差が互いに異なる被写体に対してユーザが感じる立体感の差について説明するための図である。
【図２】本発明の実施形態によるビデオ映像再生装置のブロック図である。
【図３】本発明の他の実施形態によるビデオ映像再生装置のブロック図である。
【図４】本発明の一実施形態によって、基準倍速値が含まれたＳＴＮテーブル（stream  number  table）のシンタックス一部を図示する図である。
【図５Ａ】本発明の実施形態によって、再生されるビデオ映像の立体感変化を図示した図である。
【図５Ｂ】本発明の実施形態によって、再生されるビデオ映像の立体感変化を図示した図である。
【図５Ｃ】本発明の実施形態によって、再生されるビデオ映像の立体感変化を図示した図である。
【図６】本発明の一実施形態によるビデオ映像再生方法を図示したフローチャートである。
【発明を実施するための形態】
【００２８】
以下、添付された図面を参照しつつ、本発明の望ましい実施形態について詳細に説明する。
【００２９】
図２は、発明の実施形態によるビデオ映像再生装置のブロック図である。図２を参照すれば、ビデオ映像再生装置２００は、第１ビデオデコーダ２１０、第２ビデオデコーダ２２０、左目用ビデオ画面バッファ２３０、右目用ビデオ画面バッファ２４０及び出力部２５０を含む。
【００３０】
ビデオ映像再生装置２００は、ユーザとのインターフェースを担当し、ユーザからの制御命令を受信するユーザ・インターフェース（図示せず）をさらに含んでもよい。
【００３１】
ビデオ映像再生装置２００は、ローディングされたディスクから、ビデオストリームを読み取ったり、あるいは通信網を介して、外部サーバからビデオストリームをダウンロードされる。ビデオ映像再生装置２００は、ビデオストリームをデコーディングし、ビデオ映像を二次元で、あるいは三次元で再生する。
【００３２】
ビデオストリームが三次元ビデオ映像のためのステレオスコピック（stereoscopic）・ビデオストリームであり、ステレオスコピック・ビデオストリームから生成されるビデオ映像がフレーム形態またはフィールドシーケンシャル・フォーマット（frame  or  field  sequential  format）形態である場合、ステレオスコピック・ビデオストリームには、基準視点映像のためのビデオストリームと、付加視点映像のためのビデオストリームとが含まれる。
【００３３】
図２のビデオ映像再生装置２００に含まれている２つのビデオデコーダ２１０，２２０は、基準視点映像のためのビデオストリームと、付加視点映像のためのビデオストリームとをそれぞれデコーディングする。
【００３４】
以下、説明の便宜のために、ビデオ映像再生装置２００は、基準視点映像を左目用映像として利用し、付加視点映像を右目用映像として利用すると仮定する。
【００３５】
第１ビデオデコーダ２１０は、基準視点映像のためのビデオストリームをデコーディングして基準視点映像を生成し、これを左目用映像として、左目用ビデオ画面バッファ２３０に描く。第２ビデオデコーダ２２０は、付加視点映像のためのビデオストリームをデコーディングして付加視点映像を生成し、これを右目用映像として、右目用ビデオ画面バッファ２４０に描く。
【００３６】
左目用ビデオ画面バッファ２３０及び右目用ビデオ画面バッファ２４０は、左目用映像及び右目用映像を一時的に保存する。
【００３７】
出力部２５０は、左目用ビデオ画面バッファ２３０と、右目用ビデオ画面バッファ２４０とに保存されている左目用映像及び右目用映像を順次に出力する。
【００３８】
ビデオ映像を視聴するユーザは、一方の目を基準に、最小６０Ｈｚのフレーム率で映像が出力されてこそ、イメージが切れずに順次に再生されると認知するので、左右両眼を介して入力されたイメージが合わさって三次元映像として認知されるためには、最小限１２０Ｈｚのフレーム率で映像が出力されねばならない。出力部２５０は、１／１２０秒単位で、左目用映像及び右目用映像を順次に出力し、ビデオ映像が三次元で再生される。
【００３９】
ユーザは、ユーザ・インターフェースを利用し、ビデオ映像を倍速再生することを要請することができる。ユーザが、前への早送り（fast  forward）動作、または後ろへの早送り（fast  rewind）動作などのトリックプレイモード動作を要請すれば、第１ビデオデコーダ２１０と第２ビデオデコーダ２２０は、ユーザが要請した倍速に相応して、フレームのうち一部を選択してデコーディングする。出力部２５０は、第１ビデオデコーダ２１０及び第２ビデオデコーダ２２０が選択的にデコーディングして生成した映像を、交互に出力してビデオ映像が倍速再生される。
【００４０】
ビデオ映像が三次元で再生されつつ倍速再生される場合、ビデオストリームに含まれたフレーム全部ではない選択されたフレームだけデコーディングされるので、選択されたフレーム間の深度感変化が急激に大きくなる現象が発生しうる。
【００４１】
これを防止するために、発明の実施形態で、ビデオ映像再生装置２００は、ユーザが倍速再生を要請するとき、ビデオ映像を常に二次元で倍速再生させることができる。
【００４２】
発明の実施形態で、ユーザが倍速再生を要請すれば、ビデオ映像再生装置２００は、ビデオ映像を常に二次元で倍速再生させることができる。
【００４３】
発明の他の実施形態で、ビデオ映像再生装置２００は、ユーザが要請した倍速によって、ビデオ映像を二次元で倍速再生させたり、あるいは三次元で倍速再生させることができる。
【００４４】
さらに具体的には、ユーザがユーザ・インターフェースを利用して、前または後ろへの早送りを要請する場合、すなわち、ユーザが前または後ろにＮ（Ｎは、２以上の自然数）倍速再生を要請する場合、ビデオ映像再生装置２００は、Ｎが基準倍速値を超えるか否かを判断し、Ｎが基準倍速値を超える場合、ビデオ映像を二次元でＮ倍速再生し、Ｎが基準倍速値を超えない場合、ビデオ映像を三次元でＮ倍速再生することができる。
【００４５】
発明の実施形態で、基準倍速値は、ビデオ映像を倍速再生するとき、ビデオ映像の立体感を調節するために、基準になる倍速値を定義する。
【００４６】
基準倍速値は、ビデオストリームが保存されたディスクに付加情報として保存されていてもよい。その場合、ビデオ映像再生装置２００は、ディスクからビデオストリーム及びビデオストリームに係わる付加情報を読み取り、付加情報に含まれている基準倍速値とＮとを比較し、Ｎが基準倍速値を超えるか否かを判断することができる。
【００４７】
または、基準倍速値は、ビデオ映像再生装置２００内部に保存されていてもよい。基準倍速値は、例えば、ビデオ映像再生装置２００内部のプレイヤ・セッティング・レジスタ（player  setting  register）またはプレイバック・ステータス・レジスタ（playback  status  register）に保存されていてもよい。
【００４８】
ビデオ映像再生装置２００に保存された基準倍速値は、ビデオ映像再生装置２００が出荷されるときからデフォルトとして設定されていたり、ユーザによって値が変更されて保存されることもある。
【００４９】
ビデオ映像再生装置２００は、ユーザが要請した倍速が基準倍速値を超える場合、第１ビデオデコーダ２１０及び第２ビデオデコーダ２２０のうち１つのビデオデコーダだけでビデオストリームをデコーディングするか、あるいは出力部２５０が、左目用ビデオ画面バッファ２３０及び右目用ビデオ画面バッファ２４０のうち１つのバッファに描かれた映像だけを出力させ、ビデオ映像を二次元で倍速再生させることができる。
【００５０】
このように、発明の実施形態によれば、三次元で再生されるビデオ映像を倍速再生する場合、ビデオ映像再生装置は、ビデオ映像を二次元で倍速再生することができる。
【００５１】
図３は、発明の他の実施形態によるビデオ映像再生装置のブロック図である。
【００５２】
図３を参照すれば、ビデオ映像再生装置３００は、ビデオデコーダ３１０、左目用ビデオ画面バッファ３２０、右目用ビデオ画面バッファ３３０及び出力部３４０を含む。
【００５３】
ビデオ映像再生装置３００は、ユーザからの制御命令を受信するユーザ・インターフェース（図示せず）をさらに含んでもよい。
【００５４】
図３のビデオ映像再生装置３００は、ビデオデコーダ３１０が一つであるという点で、図２のビデオ映像再生装置３００と区別される。
【００５５】
ステレオスコピック・ビデオストリームから生成されるビデオ映像が、垂直方向または水平方向のラインインターリーブド・フォーマット（vertical  line  or  horizontal  line  interleaved  format）、トップダウン・フォーマット（top-down  format）またはサイドバイサイド・フォーマット（side  by  side  format）のように、１つのフレームに、基準視点映像と付加視点映像とを生成するための情報が混合して共に含まれている場合、ビデオデコーダ３１０は、フレームに含まれた基準視点映像と付加視点映像とを生成するための情報を利用して、基準視点映像及び付加視点映像をそれぞれ生成する。
【００５６】
ビデオデコーダ３１０は、ステレオスコピック・ビデオストリームをデコーディングして基準視点映像と付加視点映像とを生成し、基準視点映像を左目用映像として、付加視点映像を右目用映像として、それぞれ左目用ビデオ画面バッファ３２０と、右目用ビデオ画面バッファ３３０とに描くことができる。
【００５７】
左目用ビデオ画面バッファ３２０と、右目用ビデオ画面バッファ３３０は、左目用映像及び右目用映像を一時的に保存する。
【００５８】
出力部３４０は、左目用ビデオ画面バッファ３２０と、右目用ビデオ画面バッファ３３０とに描かれた左目用映像及び右目用映像を交互に出力し、ビデオ映像を三次元で再生させることができる。
【００５９】
ユーザが、ユーザ・インターフェースを利用して、前または後ろにＮ（Ｎは、２以上の自然数）倍速再生を要請すれば、ビデオデコーダ３１０は、あらゆるフレームをデコーディングするのではなく、ユーザが要請したＮ倍速に相応する間隔でフレームを選択してデコーディングする。
【００６０】
ビデオ映像再生装置３００は、ユーザがＮ倍速再生を要請すれば、ビデオ映像を常に二次元で再生させたり、あるいはＮが基準倍速値を超えるか否かを判断し、Ｎが基準倍速値を超える場合、ビデオ映像を二次元で再生させることができる。
【００６１】
発明の実施形態で、ビデオ映像を二次元でＮ倍速再生させるために、ビデオデコーダ３１０は、選択されたフレームをデコーディングするとき、基準視点映像を生成するための情報と、付加視点映像を生成するための情報とのうち一つだけを利用して、基準視点映像及び付加視点映像のうち一つだけを生成し、左目用ビデオ画面バッファ３２０と、右目用ビデオ画面バッファ３３０とのうち一つに描くことができる。
【００６２】
この場合、出力部３４０は、左目用ビデオ画面バッファ３２０と、右目用ビデオ画面バッファ３３０とのうち一つに描かれたビデオ映像を出力させ、ビデオ映像を二次元で再生させることができる。
【００６３】
発明の他の実施形態で、ビデオデコーダ３１０は、左目用ビデオ画面バッファ３２０と、右目用ビデオ画面バッファ３３０とに、左目用映像及び右目用映像をいずれも描き、出力部３４０が、左目用ビデオ画面バッファ３２０と、右目用ビデオ画面バッファ３３０とのうち一つに描かれた映像だけ出力させ、ビデオ映像を二次元で再生させることができる。
【００６４】
図４は、発明の一実施形態によって、基準倍速値が含まれたＳＴＮテーブル（stream  number  table）のシンタックス一部を図示している。
【００６５】
ビデオ映像再生装置２００，３００にディスク（図示せず）がローディングされている場合、ビデオ映像再生装置２００，３００は、ディスクからビデオストリームを読み取り、これをデコーディングして、ビデオ映像を三次元で再生することができる。
【００６６】
ディスクには、ビデオストリームに係わる付加情報が保存されたＳＴＮテーブルが共に保存されていてもよい。ＳＴＮテーブルは、プレイアイテムが指定するクリップと、同時再生が許可されている情報とを示すテーブルである。
【００６７】
ビデオストリーム及びこれに係わる付加情報を生成して、ディスクに保存するオーサ（author）は、ビデオストリームから生成されるビデオ映像の深度感を知っているので、三次元でビデオ映像を再生している最中、倍速再生要請が入る場合、三次元再生モードから二次元再生モードに強制変換しなければならない臨界値をオーサに定めさせる方法を考慮することができる。
【００６８】
発明の実施形態で、ＳＴＮテーブルには、ビデオ映像を倍速再生するとき、ビデオ映像の深度感をどのようにして倍速再生するかを示す情報、すなわち、基準倍速値がオーサによって設定されて含まれている。
【００６９】
図４を参照すれば、ＳＴＮシンタックスには、Fixed＿offset＿if＿Faster＿Thanと命名されたフィールドが含まれている。Fixed＿offset＿if＿Faster＿Thanは、ＳＴＮテーブルと関連したステレオスコピック・ビデオストリームを三次元で再生する過程で、ユーザ要請によって倍速再生が行われる場合、ユーザが要請した倍速が、「Fixed＿offset＿if＿Faster＿Than」に定義された７ビット整数値以上である場合、ビデオ映像が三次元ではない二次元で再生されねばならないということを意味する。
【００７０】
例えば、「Fixed＿offset＿if＿Faster＿Than」値が５と定義されており、Ｎが２である場合、すなわち、ユーザが２倍速再生を要請した場合、ビデオ映像再生装置２００，３００は、ビデオ映像を三次元で２倍速して再生することができる。この場合、Ｎが６である場合、すなわち、ユーザが６倍速再生を要請した場合、ビデオ映像再生装置２００，３００は、ビデオ映像を二次元で６倍速して再生することができる。
【００７１】
このように、発明の実施形態によれば、ビデオ映像再生装置は、ディスクに保存されたＳＴＮテーブルに保存された基準倍速値を利用して、倍速再生要請時ビデオ映像を、二次元で再生するか、または三次元で再生するかを判断することができる。
【００７２】
図５Ａないし図５Ｃは、発明の実施形態によって、再生されるビデオ映像の立体感変化を図示した図である。
【００７３】
図５Ａないし図５Ｃは、それぞれ三次元ビデオ映像が正常速度で再生される場合、２倍速で再生される場合及び６倍速で再生される場合の立体感変化を図示している。
【００７４】
図５Ａの左側グラフは、三次元で再生される各フレームの深度感程度（depth）を、時間軸上に図示したグラフであり、図５Ａの右側グラフは、倍速再生によって選択されたフレームだけで構成された再生シーケンスを図示した図である。
【００７５】
ビデオ映像が正常速度、すなわち、１倍速で再生されるので、図５Ａの左側グラフに図示されたフレームがいずれも選択され、図５Ａの右側グラフのようにユーザに示される。その場合、ユーザが感じる単位時間当たり立体感変化は、現在フレームと以前フレームとの深度感の違いだけになり、これは、
【００７６】
【数１】
2013504244.tif 000003
のように表示されてもよい。
【００７７】
図５Ｂは、三次元ビデオ映像が２倍速で再生される場合を図示している。図５Ｂの左側グラフは、三次元で再生される各フレームの深度感程度を、時間軸上に図示したグラフである。ユーザが２倍速再生を要請すれば、ビデオ映像再生装置２００，３００は、２フレームのうち１つのフレームだけを選択してデコーディングする。図５Ｂの左側グラフには、２倍速再生のために選択されたフレームが実線で表示されており、選択されていないフレームが点線でそれぞれ表示されている。
【００７８】
図５Ｂの右側グラフは、図５Ｂの左側グラフで選択されたフレームだけで構成された再生シーケンスを図示している。図５Ｂの右側グラフに表示されたフレームが順次に再生される場合、ユーザが感じる単位時間当たり立体感変化は、
【００７９】
【数２】
2013504244.tif 000004
のように表示されてもよい。ビデオ映像が２倍速で再生される場合、ユーザが感じる単位時間当たり立体感変化は、正常速度で再生される場合よりもおよそ２倍ほど大きくなるということが分かる。
【００８０】
図５Ｃは、三次元ビデオ映像が６倍速で再生される場合を図示している。図５Ｃの左側グラフは、三次元で再生される各フレームの深度感程度を、時間軸上に図示したグラフである。ユーザが６倍速再生を要請すれば、ビデオ映像再生装置２００，３００は、６フレームのうち１つのフレームだけを選択してデコーディングする。図５Ｃの左側グラフには、６倍速再生のために選択されたフレームが実線で表示されており、選択されていないフレームが点線でそれぞれ表示されている。
【００８１】
図５Ｃの中央グラフは、図５Ｃの左側グラフで選択されたフレームだけで構成された再生シーケンスを図示した図である。図５Ｃの中央グラフに表示されたフレームが順次に再生される場合、ユーザが感じる単位時間当たり立体感変化は、
【００８２】
【数３】
2013504244.tif 000005
のように表示されてもよい。この場合、ユーザが感じる立体感の変化は、ビデオ映像が正常速度で再生される場合や、２倍速で再生される場合よりはるかに大きくなるということが分かる。
【００８３】
人の脳は、左目及び右目が認識する互いに異なる映像を結合して１つの物体を認識するが、再生されるフレーム間の立体感変化が過度に大きくなる場合、人の脳が左目用映像及び右目用映像を利用して物体を認識する段階で撹乱を起こし、また人の目は、幻惑と疲労とを感じる。
【００８４】
図５Ｃの右側グラフは、発明の実施形態によって、図５Ｃの左側グラフで選択されたフレームの深度感を調節して構成した再生シーケンスを図示したグラフである。
【００８５】
発明の実施形態で、ビデオ映像再生装置２００，３００は、ユーザが６倍速再生を要請する場合、基準倍速値を利用して、ビデオ映像を二次元で再生するか、三次元で再生するかを判断する。図５Ｃで、基準倍速値が、例えば、５以下である場合、ビデオ映像再生装置２００，３００は、ユーザが要請した６倍速が基準倍速値を超えるので、ビデオ映像を二次元で６倍速して再生する。この場合、ビデオ映像再生装置２００，３００によって再生されるフレームは、図５Ｃの右側グラフに図示されているように、深度感が一定値に調節された状態、すなわち、二次元で再生される。
【００８６】
図６は、発明の一実施形態によるビデオ映像再生方法を図示したフローチャートである。ビデオ映像再生装置２００，３００は、ビデオストリームをデコーディングしてビデオ映像を三次元で再生する。
【００８７】
ビデオ映像再生装置２００，３００は、ユーザ・インターフェースを介して、ユーザからＮ（Ｎは、２以上の自然数）倍速再生を要請される（段階６１０）。
【００８８】
ビデオ映像再生装置２００，３００は、Ｎが基準倍速値を超えるか否かを判断する（段階６２０）。基準倍速値は、ビデオストリームと共にディスクに保存されている付加情報に含まれて保存されていたり、ビデオ映像再生装置２００，３００の内部メモリに保存されていてもよい。または、基準倍速値は、ユーザから選択されもする。
【００８９】
ビデオ映像再生装置２００，３００は、ディスクからまたはビデオ映像再生装置２００，３００の内部から基準倍速値を抽出したり、あるいはユーザから基準倍速値を設定され、これをＮと比較する。
【００９０】
ビデオ映像再生装置２００，３００は、Ｎが基準倍速値を超える場合、ビデオ映像を二次元でＮ倍速して再生し（段階６３０）、ビデオ映像再生装置２００，３００は、Ｎが基準倍速値を超えない場合、ビデオ映像を三次元でＮ倍速して再生する（段階６４０）。
【００９１】
以上、本発明についてその望ましい実施形態を中心に説明した。本発明が属する技術分野で当業者であるならば、本発明が本発明の本質的な特性から外れない範囲で変形された形態に具現可能であるということを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならないのである。
【図１】
2013504244.tif 000006
【図２】
2013504244.tif 000007
【図３】
2013504244.tif 000008
【図４】
2013504244.tif 000009
【図５Ａ】
2013504244.tif 000010
【図５Ｂ】
2013504244.tif 000011
【図５Ｃ】
2013504244.tif 000012
【図６】
2013504244.tif 000013
【国際調査報告】
2013504244.tif 000014
2013504244.tif 000015
2013504244.tif 000016
2013504244.tif 000017
2013504244.tif 000018
2013504244.tif 000019
2013504244.tif 000020
2013504244.tif 000021
2013504244.tif 000022
2013504244.tif 000023
2013504244.tif 000024
2013504244.tif 000025